Podtech/llm-jp-corpus-v4-ja_patent huggingface dataset:
(57)【要約】      （修正有）【課題】火災時に重要書類を持ち出すことの出来る風呂敷状金庫を提供する。【解決手段】ベースの布は96%のアモルファスシリカで作る。ベースの布の折り方は、HARNESS CROW’S FOOTである。重さは１８．０ OZ/YD２、３００°Ｆに耐える接着剤によりベースの布とメタライズドポリエステルフィルムを接着する。メタライズドポリエステルフィルムは４５０°Ｆに耐える。メタライズドポリエステルフィルムの厚みは、０．００１インチである。そして全体の厚みは、０．０３５インチであり、全体の重さ２２．０ OZ/YD２である。メタライズドポリエステルを接着させず、シリカシートだけでもよい。【選択図】図７
2020163176.tif 000002
【特許請求の範囲】
【請求項１】
アモルファスシリカ、メタライズとポリエステル等耐熱性材料から成り、
風呂敷状で形状可変に重要物を包み得る柔軟性材料から成る事を特徴とする金庫。
【発明の詳細な説明】
【技術分野】
【０００１】
本発明は、防災防火に関する技術である。
【背景技術】
【０００２】
耐熱性を有し、かつ、フレキシブルな金庫
【発明の概要】
【発明が解決しようとする課題】
【０００３】
最近の糸魚川の大規模火災、千葉の火災等火災が連続で発生している。火災は、突然起こり、類焼もし、自分が用心していても防ぎようがない。そこで重要書類を持ち出せず多くの人が苦しんでいることを解決するのが本発明である。 
【課題を解決するための手段】
【０００４】
前記の課題を解決する本発明は、金庫が従来の箱型であるのに対し、風呂敷状として形状が自由自在になるようにして、かつ公知の金庫よりも高い温度に耐えうる材料で構築し、平時は収納場所をとらず、かつ誰でも入手出来る価格としたものである。
【発明の効果】
【０００５】
火災が発生しても安全に、貴重な資料、もの等を保存でき、また従来不可能であった火災時に容易に重要物を持ち出すことが出来る。又、持ち出せない場合でも高温に耐え重要物を安全に保存出来る。又、通常時において場所をとらず、コストも安く、量産に適する。火災の多い日本をはじめ世界中の火災による損害から守ることが出来る。
【図面の簡単な説明】
【０００６】
【図１】本発明により重要物を収納する平面図
【図２】重要物を本発明で包み込むプロセス１
【図３】重要物を本発明で包み込むプロセス２
【図４】重要物を本発明で包み込むプロセス３
【図５】重要物を本発明で包み込むプロセス４
【図６】重要物を本発明で包み込むプロセス５
【図７】本発明材料断面拡大図
【発明を実施するための形態】
【０００７】
公知の金庫は四角い鉄など金属で作られた箱であり、したがって重く、移動も大変であり、まして火災の時に持ち出すことは不可能である。
JIS規格「一般用」は内部温度１７７℃以下、「磁気テープ用」の規格を庫内の温度66℃以下・湿度85％以下「フロッピーディスク用」は、庫内の温度52℃以下・湿度80％以下と定めている。
しかし実際の火災温度は数百℃以上となり、公知の金庫では耐火温度が低く、高温になる大火災には耐えられない。また価格も高価であり、設置場所にもかさばる。
【０００８】
本発明は風呂敷を金庫にするという全く従来にない新しい発想である。
本発明は図１に示す如くほぼ３６インチ四方の正方形の風呂敷状である。
この風呂敷状本体１の上に重要物２を載せ、折り目３で包む。以降図２、図３、図４、図５、図６の順序で図６の如く重要物を包んで完成形４となる。
【０００９】
図６の折り畳み完成形は長方形であるが、これは一例であり、本発明は風呂敷状であるので、風呂敷の特徴として、長方形の権利書であろうが、六面体の箱であろうが、円筒形のビンであろうが、いかなる形状であっても包み込めるのが本発明風呂敷金庫の特徴である。又、風呂敷金庫を単体で使用せず、風呂敷金庫に重要物を収納した風呂敷金庫をさらに通常の金庫に入れて保管してもよい。
【００１０】
本発明が風呂敷金庫としての機能を持つために、特別な材料で作る。図７は、本発明風呂敷金庫の断面を拡大した図である。５はベースの布で96%のアモルファスシリカで作る。ベースの布５の折り方は、４ HARNESS CROW’S FOOTである。重さは１８．０ OZ/YD2、６は３００°Ｆに耐える耐熱性接着剤である。この接着剤によりベースの布５とメタライズドポリエステルフィルム７を接着する。メタライズドポリエステルフィルムは４５０°Ｆに耐える。
メタライズドポリエステルフィルムの厚みは、０．００１インチである。そして５,６,７の全体の厚みは、０．０３５インチであり、全体の重さ２２．０ OZ/YD2である。メタライズドポリエステルを接着させず、シリカシートだけでもよい。
本発明風呂敷金庫の耐熱性は１８００°Ｆである事が実験で確かめられた。
金庫は重くて持ち出せないが、本発明は軽量なので火災時にすぐ持って逃げられるし、もし持ち出せなくても１８００°Fに耐えられるので重要物は焼けず安全に保管される。
【産業上の利用可能性】
【００１１】
最近火災が多く重要物を焼失する人が多い。本発明はこれを防止するもので、個人、会社等に必要で産業状の利用可能性大である。
【符号の説明】
【００１２】
１    本発明風呂敷金庫
２    権利書等重要物
３    本発明風呂敷金庫を折った折り目
４    本発明風呂敷金庫に権利書など重要物を収納した外観
５    本発明のベース布
６    本発明のベース布と表皮を接着する接着剤
７  メタライズドポリエステルフィルムなど本発明表皮
【図１】
2020163176.tif 000003
【図２】
2020163176.tif 000004
【図３】
2020163176.tif 000005
【図４】
2020163176.tif 000006
【図５】
2020163176.tif 000007
【図６】
2020163176.tif 000008
【図７】
2020163176.tif 000009
(57)【要約】      （修正有）【課題】剥離バンドの端部を持って、持ち上げるだけで、粘着テープが途中で切れることなく容易に剥がせる粘着クリーナーを提供する。【解決手段】柔軟性の細幅バンド１の一端に留め具２を設けて、粘着クリーナーテープ剥離バンドと成し、粘着クリーナーにおけるテープ受け５の芯部に挿入された軸の根元際に粘着クリーナーテープ剥離バンドの留め具を装着して使用する。【選択図】図２
2020163091.tif 000002
【特許請求の範囲】
【請求項１】
柔軟性の細幅バンドの一端に留め具を設けて、粘着クリーナーテープ剥離バンドと成し、粘着クリーナーにおけるテープ受けの芯部に挿入された軸の根元際に留め具を装着して使用することを特徴とする粘着クリーナーテープ剥離バンド。
【発明の詳細な説明】
【技術分野】
【０００１】  本発明は、粘着クリーナーの粘着テープを剥がす剥離バンドに関するものである。
【背景技術】
【０００２】  従来の粘着クリーナーは、ゴミが付着し、粘着力が無くなった時、当該粘着テープを剥がし、新しい粘着面を出して使用していた。
【発明の概要】
【発明が解決しようとする課題】
【０００３】  粘着テープを剥がす時、次のような問題があった。
▲１▼粘着テープを剥がす位置が分かり難い。
▲２▼粘着テープを剥がす時、剥がす途中で粘着テープが切れ、剥がすのに手こずっていた。
▲３▼粘着テープを剥がす面に、紙屑、糸屑、髪の毛が付着すると、粘着テープを剥がすとき、その部分で粘着テープ切れてしまうことがある。
▲４▼畳やクッションフロアーに使用すると、粘着テープが床に貼り付いてしまうことがある。
本発明は、これらの問題点を解決するためになされたものである。
【課題を解決するための手段】
【０００４】  柔軟性の細幅バンドの一端に留め具を設けて、粘着クリーナーテープ剥離バンドと成し、粘着クリーナーにおけるテープ受けの芯部に挿入された軸の根元際に、粘着クリーナーテープ剥離バンドの留め具を装着して使用する。
以上を特徴とする粘着クリーナーテープ剥離バンド。
【発明の効果】
【０００５】▲１▼剥離バンドの端部を持って、持ち上げるだけで、粘着テープが途中で切れることなく容易に剥がせる。
▲２▼ゴミが付着した粘着テープを剥がす位置を探す必要がなく、瞬時に剥がせる。
▲３▼剥がす面に紙屑、糸屑、髪の毛が付着していても、粘着テープが切れることなく剥がせる。
▲４▼最も貼り付き易い部分に、テープ剥離バンドが被さっているで、畳やクッションフロアで使用しても、粘着テープがフロアに貼り付ことがない。
▲５▼粘着テープを切り取る際、柔軟性細幅バンドに沿って引き裂けば、簡単に切れ、切り口もきれいに切れる。
【図面の簡単な説明】
【０００６】
【図１】本発明の斜視図
【図２】本発明を粘着クリーナーのテープ受けの軸に取付た状態を示す斜視図
【図３】テープ受けに粘着テープを装着して、本発明を粘着テープに密着させて使用可能な状態を示す斜視図
【図４】本発明を使用して、粘着テープの汚れ域を切除するために剥離している状態を示す斜視図
【図５】本発明に於いて粘着テープの未使用面に再セッテングしている状態の斜視図
【図６】ゴミが付着した粘着テープを本発明に沿って切り取る状態を示す斜視図
【発明を実施するための形態】
【０００７】  以下、本発明の実施の形態を説明する。
図１のように柔軟性細幅バンド（１）の一端に留め具（２）を設けた本発明を図２のように粘着クリーナーのテープ受け（５）の芯部に挿入された軸（４）の根元際に留め具（２）を装着する。
装着された留め具（２）は、軸（４）を中心として回転出来る構造に成っている。
本発明は、以上のような構成である。
【０００８】  本発明の使用法について説明する。
図３に示すようにテープ受け（５）に粘着テープ（６）を装着し、粘着テープ（６）に本発明の構成の一部である、柔軟性細幅バンド（１）を密着させる。
図３の状態で取っ手（７）を持って、掃除する所を転がしてゴミを粘着テープ（６）に付着させゴミを取る。
ゴミが付着して粘着力がなくなった時は、図４のように柔軟性細幅バンドの端部（３）を持って持ち上げ、ゴミ付着の粘着テープ（８）を剥離し、図５のようにゴミ付着の粘着テープ（８）と粘着テープの未使用面（９）の界の未使用面（９）側に本発明の構成の一部である、柔軟性細幅バンド（１）を再密着させ、図６のように柔軟性細幅バンド（１）に沿ってゴミ付着の粘着テープ（８）を切り取り、図３の状態にして再使用する。
【符号の説明】
【０００９】１  柔軟性細幅バンド
２  留め具
３  柔軟性細幅バンドの端部
４  軸
５  テープ受け
６  粘着テープ
７  取っ手
８  ゴミ付着の粘着テープ
９  粘着テープの未使用面
【図１】
2020163091.tif 000003
【図２】
2020163091.tif 000004
【図３】
2020163091.tif 000005
【図４】
2020163091.tif 000006
【図５】
2020163091.tif 000007
【図６】
2020163091.tif 000008
(57)【要約】      （修正有）【課題】手の指や手のひらに対する指圧やマッサージは健康に役立つ、適切な指圧の方法ができる、適当で便利な用具を提供する。【解決手段】両手に手指指圧に適した空気だまり、または液だまり付きの二重手袋をはめて、手や指を開いてパーの形にしたり、手を握りしめて、グーの形にしたりあるいは両手を組み合わせて合掌することにより、楽にかつ効率的に手の指や手のひらを加圧して、自分自身で指圧の効果を上げることが出来る構成とする。【選択図】図２
2020163090.tif 000002
【特許請求の範囲】
【請求項１】
気密又は水密の二重手袋を作り、手のひら側の中央部に空気または液体の入る袋状の部分を備える。そして、手を握りしめる又は合掌することにより、何ら機械的な装置を作ることなしに掌や指先に加圧し指圧の効果を発生できる器具である。従って電機や機械的な装置により指圧の効果を発生することは請求範囲に含まない。
【発明の詳細な説明】
【技術分野】
【０００１】この発明は健康のために、手の指に指圧をするための用具、手指指圧用袋状部分付き二重手袋に関するものである。
【背景技術】
【０００２】従来、手の指に対する指圧やマッサージは健康管理上有効なことは知られてはいたが、適切な用具がなくて、一般人には難しく専門家に頼むと費用が掛かるために活用されることが少なかった。
【先行技術文献】
【特許文献】
【０００３】
【特許文献１】
【発明の概要】
【発明が解決しようとする課題】
【０００４】従来の問題点  手の指に対する適切な指圧の方法が確立していなかった。
適切な用具、器具もなかった。したがって、左右の手の指に効率的に指圧              をすることが困難であった。
本発明は以上の欠点をなくすためになされたものである。
【課題を解決するための手段】
【０００５】本発明は両手に手指指圧に適した手指指圧用袋状部分付き二重手袋をはめて手や指を開いてパーの形にしたり握ってグーの形にしたり、あるいは両手を組み合わせて合掌することによって、楽にかつ効率的に手のすべての指を加圧したり緩めたりすることにより、一般人でも自分自身で有効に指圧できるようになっている。
【発明の効果】
【０００６】専門技術なしに効率的な指圧が可能となる。出願者の実験では低体温症の出願者は平常体温が３５，０度程度であり、足も冷え切っていて寒い夜は眠ることもできなくて電気毛布を使わなければ眠れないこともあった。しかし、両手で合掌して指の指圧をしたところ１５分くらいで簡単に体温が３６，０度くらいになり、なにも指圧もしていない足もポカポカ暖かくなることが判明している。丁寧に２０分ほど指圧した際は３６，３度に上昇して熟睡できたことも経験した。適当な用具を使い合理的に指の指圧をすればさらに良い結果が見込まれる。
【図面の簡単な説明】
【０００７】
【図１】  左手の甲側の外観
【図２】  左手の袋部分付き二重手袋の平常時の外観
【図３】  袋部分を握りしめて加圧した状態の図
【発明を実施するための形態】
【０００８】手首から先は指先まで二重の手袋に包まれている。内側の手袋はゴムのような材質で作られている。内側の手袋は手のひらや指にぴったりする寸法であることが望ましい。外側の手袋はそれよりも少し大きな寸法であり、その他に掌の部分にふくらみがある。手首のところで外側手袋と内側手袋は接着されているので、全体として空気漏れも液体漏れもない袋状になっている。従って、手や指を伸ばしたパーの状態では二重手袋の内部は普通の圧であるが、握りしめたり、両手で合掌すると加圧状態になり内側手袋が手の指を締め付けることになる。このようにして手を開閉することにより、指を絞めたり緩めたりする指圧が可能となる。
【符号の説明】
【０００９】空気袋または液袋をＢと表示する。
【図１】
2020163090.tif 000003
【図２】
2020163090.tif 000004
【図３】
2020163090.tif 000005